(57)【要約】【課題】缶胴のネッキング成形におけるネックインしわの発生を好適に抑制するフィルムラベル缶を提供する。【解決手段】フィルムラベルを缶胴に貼着する際に、ネックイン成形が予定されているオーバーラップ部分１０について、缶軸方向に対し例えば３０°傾斜するようにフィルムラベルを貼着することによって、缶胴のネッキング成形におけるネックインしわの発生を好適に抑制することが出来るようにした。【選択図】図１
2010184723.tif 000002
【特許請求の範囲】
【請求項１】
フィルムラベルの両端部をオーバーラップさせて缶胴の外周面にフィルムラベルを貼着した缶胴であって、
前記オーバーラップ部の内、少なくともネックイン成形が予定されている缶胴部分のオーバーラップ部の長手方向が、缶軸方向に対し傾斜していることを特徴とするフィルムラベル缶。
【請求項２】
前記オーバーラップ部分の長手方向が、缶軸方向に対し１０°〜６０°傾斜していることを特徴とする請求項１に記載のフィルムラベル缶。
【発明の詳細な説明】
【技術分野】
【０００１】
本発明は、缶胴のネッキング成形においてフィルムラベルのオーバーラップ部に発生する缶内側への凹み（以後ネックインしわ）を好適に抑制するフィルムラベル缶に関するものである。
【背景技術】
【０００２】
従来、缶胴部の形状や形成材料の如何に拘わらず、その缶胴部の表面に種々の美しい加飾を施すことが出来るように、缶胴長より若干長めにフィルムラベルをカットし、缶胴の外周面にフィルムラベルを巻きカットしたフィルムラベルの両端部を重ね合わせてオーバーラップ部を形成する。次に、熱ローラ等によってフィルムラベルを缶胴部に貼着する。その後、缶胴端部にネックイン成形を施すことによって、２ピース缶用の缶本体を製造する技術が知られている（例えば、特許文献１および特許文献２を参照。）。
缶胴のネックイン成形では、テーパ形状のネック成形ダイに缶胴の口部を押し込むことによって、缶胴の口部が徐々に縮径されて缶胴のネック部が成形される。その際、缶胴と「ネック成形ダイ」との軸芯がズレないように、缶胴は内部に円柱状中子が挿入された状態で、ネック成形ダイ中に押し込まれ缶胴ネック部が縮径成形される（例えば、特許文献３を参照。）。
【０００３】
【特許文献１】特開平１１−１５７５４５号公報
【特許文献２】特開平１１−１５７５４６号公報
【特許文献３】特開平１０−２３５４４２号公報
【発明の開示】
【発明が解決しようとする課題】
【０００４】
上記従来の缶胴のフィルムラベルのオーバーラップ部の長手方向（以下オーバーラップの方向）は、缶軸方向に対して平行に構成されているため、ネッキング成形において、その部位に縮径に伴う圧縮成分が作用すると、オーバーラップの段差部で、シワが発生する問題があった。
そこで、本発明は、上記実情に鑑み創案されたものであって、その目的は、缶胴のネッキング成形におけるネックインしわの発生を好適に抑制するフィルムラベル缶を提供することである。
【課題を解決するための手段】
【０００５】
前記目的を達成するために、請求項１に記載のフィルムラベル缶は、缶胴の外周面にフィルムラベルの両端部をオーバーラップさせて巻き付けて貼着した缶胴であって、前記オーバーラップ部の内、少なくともネックイン成形が予定されている缶胴部分のオーバーラップ部の方向を、缶軸方向に対し傾斜させることを特徴とする。
本願発明者は、缶胴のネックイン成形時においてフィルムラベルのネックインしわの発生を抑制する方法について鋭意研究したところ、ネックイン成形が予定されている缶胴のオーバーラップ部の方向が、缶軸方向に対して傾斜していることによって、ネックイン成形時に生じる、材料への圧縮成形による不安定現象が発生し難くなりその結果、ネックインしわの発生が好適に抑制されることを見出した。
さらに詳述すると、ネックインしわは缶軸方向に平行に発生する。オーバーラップ部では、フィルムラベルが二重になっているため、缶外周から盛り上がっている。このため、オーバーラップ部はネックインダイから強く押されて、缶内側方向に盛り上がり、ネックインしわとなる。前述したように、ネックインしわが発生する方向は缶軸方向に平行であり、さらにオーバーラップ部の方向が缶軸方向に平行である従来の構成では、ネックインしわが助長され、オーバーラップ部に大きなネックインしわが発生する。本件では、オーバーラップ部の方向を、缶軸方向からずらせて、傾斜させた結果、ネックインしわの発生が抑制されることが判明した。上記より推察すると、傾斜の大きい方が、しわの抑制効果は大きくなると考えられる。
【０００６】
請求項２に記載のフィルムラベル缶では、前記ネックイン成形が予定されているオーバーラップ部の方向を、缶軸方向に対し効果が認められる傾斜角度の規定をした。傾斜角度は小さいとネックインしわの発生を抑制する効果は少なく、又傾斜角度が大きいと、ネックインしわの発生を抑制する効果は大きいが、フィルムラベルの打ち抜き操作や、貼着操作が困難になるため、缶軸方向に対し１０°〜６０°の傾斜が実用的であると判断している。
又別のフィルムラベルの貼着方法では、オーバーラップ部分を缶軸方向に対しジグザグ状に形成することによって、大きな傾斜角度でありながら、フィルムラベルの打ち抜きや貼着操作を容易にすることを両立しており、缶胴のネッキング成形におけるネックインしわの発生を好適に抑制することが出来るようにした。
【発明の効果】
【０００７】
本発明のフィルムラベル缶によれば、缶胴のネッキング成形におけるネックインしわの発生を好適に抑制することが出来る。
【発明を実施するための最良の形態】
【０００８】
以下、図に示す実施の形態により本発明をさらに詳細に説明する。なお、これにより本発明が限定されるものではない。
【０００９】
図１は、本発明に係るフィルムラベル缶１００を示す説明図である。なお、図１(a)は缶胴にフィルムラベルを貼着した形態を示し、同(b)は前記フィルムラベルを展開した形態を示す。
このフィルムラベル缶１００は、ネックイン成形が予定されているオーバーラップ部１０が缶軸方向に対し角度θ、例えば３０°で傾斜し、缶胴部オーバーラップ部１１が缶軸方向に対し平行に構成されている。
【００１０】
このように、ネックイン成形が予定されているオーバーラップ部１０の方向が缶軸方向に対して傾斜していることによって、ネックイン成形時に生じる、材料への圧縮成形による不安定現象がオーバーラップ部１０に発生し難くなり、缶胴のネッキング成形においてネックインしわの発生が好適に抑制される。
【００１１】
図１(b)は、図1(a)の缶胴フィルムラベルの展開図である。
寸法例を挙げると、例えば、Ｌ1＝１５mm、Ｌ2＝１０９mm、Ｌ3＝２mmである。なお、上記寸法例は、缶径２１１の場合である。
【実施例１】
【００１２】
図２は、本発明の実施例１に係るフィルムラベル缶２００を示す説明図である。なお、図２(a)は缶胴にフィルムラベルを貼着した形態を示し、同(b)は前記フィルムラベルを展開した形態を示す。
上記缶胴フィルムラベル２００は、ネックイン成形が予定されているオーバーラップ部２０だけでなく、缶胴部のオーバーラップ部２１の方向についても缶軸方向に対し角度θ、例えば１５°傾斜して構成されている。
【００１３】
このように、ネックイン成形が予定されているオーバーラップ部２０だけでなく、缶胴部のオーバーラップ部２１の方向についても缶軸方向に対し傾斜していることにより、ネックイン成形時に生じる、材料への圧縮成形による不安定現象がオーバーラップ部２０に発生し難くなり、缶胴のネッキング成形においてネックインしわの発生が好適に抑制される。
【００１４】
図２(b)は、ネックイン成形が予定されているオーバーラップ部２０及び缶胴部のオーバーラップ部２１の方向が缶軸方向に対し１５°傾斜した前記フィルムラベルの展開図である。
寸法例を挙げると、例えば、Ｌ4＝２mmである。なお、上記寸法例は、缶径２１１の場合である。
【実施例２】
【００１５】
図３は、本発明の実施例２に係るフィルムラベル缶３００を示す説明図である。なお、図３(a)は缶胴にフィルムラベルを貼着した形態を示し、同(b)はそれを展開した形態を示す。
この缶胴フィルムラベル３００は、ネックイン成形が予定されているオーバーラップ部３０だけでなく、缶胴部のオーバーラップ部３１の方向についても缶軸方向に対してジグザクに所定の角度θ又は−θ交互に傾斜して形成されている。なお、θとしては、例えば４５°である。
【００１６】
このように、ネックイン成形が予定されているオーバーラップ部３０だけでなく、缶胴部のオーバーラップ部３１の方向についても缶軸方向に対しジグザクに所定の角度θ又は−θ交互に傾斜して構成されていることにより、ネックイン成形時に生じる、材料への圧縮成形による不安定現象がオーバーラップ部３０に発生し難くなり、缶胴のネッキング成形においてネックインしわの発生が好適に抑制される。
【００１７】
図３(b)は、ネックイン成形が予定されているオーバーラップ部３０及び缶胴部のオーバーラップ部３１の方向が缶軸方向に対しジグザクに４５°交互に傾斜した缶胴フィルムラベルの展開図である。
寸法例を挙げると、例えば、Ｌ5＝３mm、Ｌ6＝３mm、Ｌ7＝２mmである。なお、上記寸法例は、缶径２１１の場合である。
【産業上の利用可能性】
【００１８】
本発明のフィルムラベル缶は、缶胴のネッキング成形におけるネックインしわの発生を好適に抑制するフィルムラベル缶に適用され得る。
【図面の簡単な説明】
【００１９】
【図１】本発明のフィルムラベル缶を示す説明図である。
【図２】本発明の実施例１に係るフィルムラベル缶を示す説明図である。
【図３】本発明の実施例２に係るフィルムラベル缶を示す説明図である。
【図４】従来のフィルムラベル缶におけるネックインしわの説明図である。
【符号の説明】
【００２０】
１０,２０,３０              ネックイン成形予定オーバーラップ部
１１,２１,３１              缶胴部オーバーラップ部
１００,２００,３００        フィルムラベル缶
５００                      従来のフィルムラベル缶
【図１】
2010184723.tif 000003
【図２】
2010184723.tif 000004
【図３】
2010184723.tif 000005
【図４】
2010184723.tif 000006